(57)【要約】【課題】キャスティング時の釣竿の回転モーメントを微調整することができる釣用のグローブの提供。【解決手段】このグローブ２０は、ポケット４８〜５１を備えている。各ポケット４８〜５１にバランスウエイト２１が装着されるようになっている。各ポケット４８〜５１は、手の甲側に配置されている。各ポケット４８〜５１は、それぞれ、人差指挿入部２４、中指挿入部２５、薬指挿入部２６、小指挿入部２７に設けられている。バランスウエイト２１は、薄肉の帯状に形成されている。バランスウエイト２１は、ポケット４８〜５１に挿抜自在である。バランスウエイト２１の重量は、３グラム〜１０グラムに設定される。【選択図】図１
2008086257.tif 000002
【特許請求の範囲】
【請求項１】
親指、人差指、中指、薬指及び小指がそれぞれ挿入される親指挿入部、人差指挿入部、中指挿入部、薬指挿入部及び小指挿入部と、
人差指挿入部、中指挿入部、薬指挿入部又は小指挿入部に設けられ、錘を着脱自在に収容保持する錘収容ポケットと、
錘収容ポケットに収容される錘とを備えたグローブ。
【請求項２】
上記錘収容ポケットは、手の甲側に設けられ且つ人差指挿入部、中指挿入部、薬指挿入部又は小指挿入部の長手方向に沿って延びており、
上記錘は、人差指挿入部、中指挿入部、薬指挿入部又は小指挿入部の長手方向に沿う帯状に形成されている請求項１に記載のグローブ。  
【請求項３】
上記錘は鉛からなる請求項２に記載のグローブ。
【発明の詳細な説明】
【技術分野】
【０００１】
本発明は、グローブ、特に投げ釣りの際に釣人が着用するグローブの構造に関するものである。
【背景技術】
【０００２】
釣りのジャンルに「投げ釣り」と称されるものがある。投げ釣りでは、釣人は、釣竿および釣用リールを使用して仕掛を遠投する。一般に投げ釣りでは、仕掛が遠投されればされるほどターゲットのバイトの確率が上がり、釣果につながると考えられている。仕掛の飛距離は、釣人のパワーや遠投技術に大きく左右されるが、従来から仕掛の遠投を目的として釣竿が改良されており、そのような釣竿は、特に「投げ竿」と称される専用ロッドとして提供されている（例えば、特許文献１及び非特許文献１）。
【０００３】
釣人は、仕掛を遠投するためにさまざまな様式のキャスティングを行う（非特許文献１第５頁〜第８頁）。キャスティングのバリエーションはさまざまであっても、キャスティングの基本は、釣人が一方の手で投げ竿のリールシート近傍を支持すると共に他方の手で投げ竿の後端グリップを把持し、一方の手で投げ竿を投擲方向に移動させつつ当該投げ竿を当該一方の手を中心として素早く回転させることである。これにより、投げ竿がしなり（弾性変形し）、その弾性力によって投擲物すなわち仕掛が遠投される。
【０００４】
仕掛がより遠投されるためには、投擲物（仕掛）の初速度が速くなければならない。投擲物（仕掛）の初速度を速めるために、釣人は、他方の手でしっかりと投げ竿の後端グリップを把持し、キャストの瞬間に後端グリップを勢いよく引いて投げ竿を鋭く回転させる。このとき、釣人は、上記後端グリップを確実に把持するためにフィッシンググローブを使用する（例えば、特許文献２〜特許文献６参照）。
【０００５】
【特許文献１】特開平７−１４７８６６号公報
【特許文献２】特開２００５−４２２５１号公報
【特許文献３】特開２００１−３２１１３号公報
【特許文献４】特開２０００−１４２９７号公報
【特許文献５】特開平１１−２４７００９号公報
【特許文献６】特開平７−２６４０３号公報
【非特許文献１】SHIMANO 2006 NAGE FISHING TACKLE CATALOGUE
【発明の開示】
【発明が解決しようとする課題】
【０００６】
投擲物（仕掛）の初速度が高くなるためには、投げ竿が高速で回転されればよい。すなわち、釣人の一方の手を基準とする投げ竿の回転モーメントが小さくなれば、キャストの瞬間における投げ竿の回転速度が速くなり、その結果、投擲物（仕掛）の初速度が高くなる。そのため、従来の投げ竿では、後端グリップにバランスウエイトが着脱自在に設けられているものがある（上記非特許文献１第１１頁、第１３頁）。
【０００７】
図５は、投げ竿の後端グリップの断面図であり、バランスウエイトの装着要領を示している。
【０００８】
投げ竿１の後端グリップ２は、釣人が把持しやすいように径方向に膨出されている。この後端グリップ２は筒状に形成されており、端面に尻栓３が嵌め込まれている。この尻栓３は軸部４と頭部５とを有し、軸部４が後端グリップ２にねじ込まれている。バランスウエイト１０は４つに分割されており、第１分割体６ないし第４分割体９を備えている。なお、同図では、バランスウエイト１０が分割されている状態が示されており、このバランスウエイト１０は、尻栓３に取り付けられるようになっている。
【０００９】
バランスウエイト１０を構成する第１分割体６は、本体１１と連結部１２とを有し、連結部１２が尻栓３の軸部４にねじ込まれるようになっている。第２分割体７は、本体１３と連結部１４とを有し、連結部１４が第１分割体６の本体１１にねじ込まれるようになっている。第３分割体８および第４分割体９もそれぞれ本体１５、１７と連結部１６、１８とを備えている。第２分割体７と第３分割体８との連結構造および第３分割体８と第４分割体９との連結構造は、それぞれ、第１分割体６と第２分割体７との連結構造と同様である。釣人は、第１分割体６ないし第４分割体９を適宜組み合わせて、所望の重量のバランスウエイト１０を構成する。そして、このバランスウエイト１０が上記後端グリップ１に装着されることにより、当該釣人の所望の回転モーメントを有する投げ竿が構成され得る。
【００１０】
ところで、釣人の体格はさまざまであり、当該釣人が最も効果的な遠投を実現するためには、当該釣人の体格に合わせて投げ竿の回転モーメントが微調整されることが望ましい。しかし、上記バランスウエイト１０は４分割されているだけであるから、各分割体６〜９を種々組み合わせたとしても１６種類の重量調整しかできない。そのため、釣人は、投げ竿の回転モーメントを自己の体格に合わせることができず、仕掛を十分に遠投することができない場合もあった。
【００１１】
そこで、本願発明者は、投げ釣りの実釣においてフィッシンググローブが使用されることが多いことから、このフィッシンググローブが投げ竿の回転モーメントの調整をする機能を備えることができるのではないかと考えた。本発明はかかる背景のもとになされたものであって、実釣において投げ竿の回転モーメントを微調整することができる釣用のグローブを提供することである。
【課題を解決するための手段】
【００１２】
(1) 上記目的が達成されるため、本発明に係るグローブは、親指、人差指、中指、薬指及び小指がそれぞれ挿入される親指挿入部、人差指挿入部、中指挿入部、薬指挿入部及び小指挿入部と、人差指挿入部、中指挿入部、薬指挿入部又は小指挿入部に設けられ、錘を着脱自在に収容保持する錘収容ポケットと、錘収容ポケットに収容される錘とを備えている。
【００１３】
このグローブは、主として投げ釣りの際に使用される。釣人が右利きである場合は、釣人は、一般に右手でロッドのリーシート付近を握ってロッドを支持し、左手で竿尻を把持する。キャスティングの際には、釣人は、右手でロッドを支持してキャスト方向に移動させつつ、左手で竿尻を強く引く。これにより、ロッドは、釣人の右手を支点として回転し、投擲物（すなわち仕掛）がロッドの弾力によって遠投される。なお、釣人が左利きの場合は、ロッドは釣人の左手を支点として回転されることとなる。
【００１４】
仕掛がより遠投されるためには、キャスティングの際のロッドの回転速度が速いほどよい。そのために、ロッドの回転モーメント、すなわち、釣人の右手（釣人が左利きの場合は左手）を中心とするロッドの慣性モーメントが小さいほどよい。本発明に係るグローブは、人差指挿入部、中指挿入部、薬指挿入部又は小指挿入部に錘が設けられるようになっているから、釣人が左手（釣人が左利きの場合は右手）に着用するグローブの人差指挿入部、中指挿入部、薬指挿入部又は小指挿入部に錘を収容することによって、当該ロッドのキャスティングの瞬間における回転モーメントが小さくなる。しかも、この錘は、グローブの人差指挿入部、中指挿入部、薬指挿入部又は小指挿入部に設けられた錘収容ポケットに収容されるものであるから、小型であり、その重量は数グラム単位で微調整され得るものである。したがって、ロッドの回転モーメントは、釣人の体格に応じて釣人の所望する値に容易に調整され得る。
【００１５】
(2) 上記錘収容ポケットは、手の甲側に設けられ且つ人差指挿入部、中指挿入部、薬指挿入部又は小指挿入部の長手方向に沿って延びているのが好ましい。上記錘は、人差指挿入部、中指挿入部、薬指挿入部又は小指挿入部の長手方向に沿う帯状に形成されているのが好ましい。
【００１６】
上記錘が手の甲側に配置されるから、実釣中における錘の損傷が防止される。また、本発明では、人差指挿入部、中指挿入部、薬指挿入部又は小指挿入部の長手方向に沿って錘収容ポケットが設けられるから、錘は、これに合わせて帯状に形成される。したがって、錘の重量の微調整が容易である。加えて、錘が帯状に形成されることから、錘を人差指挿入部、中指挿入部、薬指挿入部又は小指挿入部の錘収容ポケットに挿抜する作業がきわめて簡単になる。
【００１７】
(3) 上記錘は鉛からなるのが好ましい。
【００１８】
これにより、錘が取り付けられたグローブを釣人が着用してロッドを握った場合に、錘も人差指挿入部、中指挿入部、薬指挿入部又は小指挿入部に追従して変形する。しかも、一旦変形すれば、所定の保持力で当該変形状態が維持される。したがって、釣人にとって、ロッドが非常に握りやすくなる。
【発明の効果】
【００１９】
本発明によれば、釣人は、所要の錘をグローブに装着するだけで、ロッドの回転モーメントを微調整することができるので、仕掛をきわめて遠くへ投入することができる。また、錘がグローブの変形に追従して変形することにより、釣人はロッドをより確実に握ることができるという利点もある。
【発明を実施するための最良の形態】
【００２０】
以下、適宜図面が参照されつつ、好ましい実施形態に基づいて本発明が詳細に説明される。
【００２１】
図１は、本発明の一実施形態に係るグローブの斜視図であって、手の甲側から見た図である。また、図２は、本発明の一実施形態に係るグローブの斜視図であって、手のひら側から見た図である。図１および図２は、釣人がグローブを着用した状態を示している。
【００２２】
このグローブ２０は、釣り等のレジャー、特に投げ釣りの際に釣人が着用するものである。投げ釣りでは、釣人は、キャスティングの際にロッドを確実に把持し、操作する必要がある。そのため、釣人は、このグローブ２０を着用してロッドを確実に把持する。本実施形態に係るグローブ２０の特徴とするところは、このグローブ２０にバランスウエイト２１が装着されるようになっており、これにより、キャスティングの瞬間におけるロッドの慣性モーメントが釣人の所望の値に調整されるようになっている点である。
【００２３】
なお、図１および図２では、釣人の左手に装着されたグローブ２０のみが図示されている。これは、当該釣人が右利きであり、右手でロッドの所定部（典型的には、ロッドのリールシート付近）を握り、左手でロッドの後端グリップを把持する場合が想定されているからである。ただし、釣人が左利きの場合は、左手でロッドの所定部を握り、右手でロッドの後端グリップを把持する。もっとも、釣人が右利きか左利きかにかかわらず、釣人は両手にグローブを着用することができる。本実施形態では、釣人が右利きであり、ロッドの後端グリップを左手で把持することを前提として、グローブ２０の説明がなされる。
【００２４】
グローブ２０は、釣人の手の甲と手のひらを包む本体２２と、本体２２に設けられた親指挿入部２３、人差指挿入部２４、中指挿入部２５、薬指挿入部２６および小指挿入部２７と、人差指挿入部２４、中指挿入部２５、薬指挿入部２６または小指挿入部２７に着脱自在に取り付けられるバランスウエイト２１とを備えている。
【００２５】
本体２２は、手のひら側に配置された内側地２８（図２参照）と、手の甲側に配置された外側地２９（図１参照）とを備えている。これら内側地２８と外側地２９とが対向するように配置され、互いに縫い合わされることによって袋状の本体２２が形成されている。親指挿入部２３、人差指挿入部２４、中指挿入部２５、薬指挿入部２６および小指挿入部２７は、本体２２に縫い付けられている。
【００２６】
内側地２８は、基布３０と補強布３１とを備えている。基布３０は、たとえばポリ塩化ビニル（ＰＶＣ）、ポリウレタン（ＰＵ）、エチレン酢酸ビニル共重合体（ＥＶＡ）その他の樹脂のほか、コットン等の天然植物繊維からなる布等から構成されている。基布３０は、図２が示すように、釣人の親指の内側全体、手のひらおよび人差指、中指、薬指、小指の第２関節部分までの内側を覆っている。また、補強布３１は、帯状に形成されており、基布３０の中央部分に配置されている。具体的には、釣人の親指の根本部分を囲繞するように配置されている。この補強布３１は、たとえば、皮革等からなる。補強布３１が皮革から構成されることによって、高い滑止効果が発揮される。
【００２７】
図１が示すように、外側地２９は、緩衝布３２からなる。この緩衝布３２は、たとえばポリ塩化ビニル（ＰＶＣ）やポリウレタン（ＰＵ）等から構成され得る。外側地２９にかかる緩衝作用を発揮する生地が採用されることにより、実釣において釣人の手が保護されるという利点がある。緩衝布３２は、同図が示すように、親指の中間部分までの外側、手の甲および人差指、中指、薬指、小指の第１関節部分までの外側を覆っている。なお、本実施形態では、内側地２８の基布３０にストラップ３３が形成されており、このストラップ３３が外側地２９まで回り込んでいる。ストラップ３３は、面ファスナー３４を介して外側地２９に接着されている。釣人は、ストラップ３３を外側地２９に接着することによって確実にグローブ２０を手に固定することができる。ストラップ３３が外側地２９から離脱されることにより、釣人は、グローブ２０を容易に手から外すことができる。もっとも、このストラップ３３は省略されていてもよい。
【００２８】
親指挿入部２３は、図１および図２が示すように、釣人の親指を収容し保護するものである。親指挿入部２３は、基布３０の一部（釣人の親指を覆う部分：図２参照）と、緩衝布３２の一部（釣人の親指の中間部分までを覆う部分：図１参照）と、親指の指先の外側を覆う補強布３５とを備えている。この補強布３５も皮革等から構成されるのが好ましい。補強布３５は、上記基布３０および緩衝布３２に縫い付けられており、これにより、筒状の親指挿入部２３が形成されている。
【００２９】
人差指挿入部２４は、図１および図２が示すように、釣人の人差指を収容し保護するものである。人差指挿入部２４は、基布３０の一部（釣人の人差指の第２関節までを覆う部分：図２参照）と、緩衝布３２の一部（釣人の人差指の第１関節までを覆う部分：図１参照）と、人差指の先端部分を覆う補強布３６とを備えている。この補強布３６も皮革等から構成されるのが好ましい。補強布３６は、人差指の先端から第２関節までの内側を覆う第１布３７と、人差指の先端から第１関節までの外側を覆う第２布３８とを有する。第１布３７と第２布３８とは互いに対向配置されて縫い合わされており、且つこれらは、基布３０および緩衝布３２に縫い合わされている。これにより、筒状の人差指挿入部２４が形成されている。
【００３０】
中指挿入部２５は、図１および図２が示すように、釣人の中指指を収容し保護するものである。中指挿入部２５は、基布３０の一部（釣人の中指の第２関節までを覆う部分：図２参照）と、緩衝布３２の一部（釣人の中指の第１関節までを覆う部分：図１参照）と、中指の先端部分を覆う補強布３９とを備えている。この補強布３９も皮革等から構成されるのが好ましい。補強布３９は、中指の先端から第２関節までの内側を覆う第１布４０と、中指の先端から第１関節までの外側を覆う第２布４１とを有する。第１布４０と第２布４１とは互いに対向配置されて縫い合わされており、且つこれらは、基布３０および緩衝布３２に縫い合わされている。これにより、筒状の中指挿入部２５が形成されている。
【００３１】
薬指挿入部２６は、図１および図２が示すように、釣人の薬指を収容し保護するものである。薬指挿入部２６は、基布３０の一部（釣人の薬指の第２関節までを覆う部分：図２参照）と、緩衝布３２の一部（釣人の薬指の第１関節までを覆う部分：図１参照）と、薬指の先端部分を覆う補強布４２とを備えている。この補強布４２も皮革等から構成されるのが好ましい。補強布４２は、薬指の先端から第２関節までの内側を覆う第１布４３と、薬指の先端から第１関節までの外側を覆う第２布４４とを有する。第１布４３と第２布４４とは互いに対向配置されて縫い合わされており、且つこれらは、基布３０および緩衝布３２に縫い合わされている。これにより、筒状の薬指挿入部２６が形成されている。
【００３２】
小指挿入部２７は、図１および図２が示すように、釣人の小指を収容し保護するものである。小指挿入部２７は、基布３０の一部（釣人の小指の第２関節までを覆う部分：図２参照）と、緩衝布３２の一部（釣人の小指の第１関節までを覆う部分：図１参照）と、小指の先端部分を覆う補強布４５とを備えている。この補強布４５も皮革等から構成されるのが好ましい。補強布４５は、小指の先端から第２関節までの内側を覆う第１布４６と、小指の先端から第１関節までの外側を覆う第２布４７とを有する。第１布４６と第２布４７とは互いに対向配置されて縫い合わされており、且つこれらは、基布３０および緩衝布３２に縫い合わされている。これにより、筒状の小指挿入部２７が形成されている。
【００３３】
図１が示すように、人差指挿入部２４、中指挿入部２５、薬指挿入部２６および小指挿入部２７は、それぞれ、ポケット４８〜５１（錘収容ポケット）を備えている。このポケットに上記バランスウエイト２１が収容されるようになっている。本実施形態では、グローブ２０は単一のバランスウエイト２１を備えているが、複数のバランスウエイト２１が設けられていてもよいことは勿論である。
【００３４】
図３は、小指挿入部２７の断面図である。
【００３５】
前述のように、小指挿入部２７は、基布３０および緩衝布３２によって筒状に形成されており、内部に釣人の小指が挿入されるようになっている。ポケット５１は、上記緩衝布３２の外側に被覆布５３が設けられることにより構成されている。この被覆布５３は、緩衝布３２と同様の生地から構成され得る。被覆布５３は、緩衝布３２の外側に重ね合わされ、当該緩衝布３２と基布３０と共に縫い合わされている。具体的には、この被覆布５３は、図１が示すように細長帯状に裁断され、小指挿入部２７の長手方向に沿って配置されている。したがって、ポケット５１は、小指挿入部２７の長手方向に沿って延びるように形成されている。
【００３６】
バランスウエイト２１は、本実施形態では鉛から構成されている。バランスウエイト２１は、図１が示すように薄肉の帯状に形成されている。すなわち、バランスウエイト２１の外形形状は、ポケット５１の内部形状に対応されており、これにより、バランスウエイト２１は、同図に示す矢印５４の方向に沿ってポケット５１に挿入される。バランスウエイト２１は、ポケット５１内で緩衝布３２と被覆布５３とによって挟み込まれ、所定の保持力で保持される。なお、釣人は、バランスウエイト２１を上記矢印５４が示す方向と反対方向に引っ張ることにより、当該バランスウエイト２１をポケット５１から取り出すことができる。このバランスウエイト２１の重量は、３グラムないし１０グラム程度に設定される。
【００３７】
人差指挿入部２４も基布３０および緩衝布３２によって筒状に形成されている。人差指挿入部２４には、釣人の人差指が挿入されるようになっている。上記ポケット５１と同様に、ポケット４８は、上記緩衝布３２の外側に被覆布５５が設けられることにより構成されている。この被覆布５５は、緩衝布３２と同様の生地から構成され得る。被覆布５５は、緩衝布３２の外側に重ね合わされ、当該緩衝布３２と基布３０と共に縫い合わされている。具体的には、この被覆布５５は、図１が示すように細長帯状に裁断され、人差指挿入部２４の長手方向に沿って配置されている。したがって、ポケット４８は、人差指挿入部２４の長手方向に沿って延びるように形成されている。上記バランスウエイト２１は、このポケット４８に挿入されてもよい。
【００３８】
中指挿入部２５も基布３０および緩衝布３２によって筒状に形成されている。中指挿入部２５には、釣人の中指が挿入されるようになっている。上記ポケット５１と同様に、ポケット４９は、上記緩衝布３２の外側に被覆布５６が設けられることにより構成されている。この被覆布５６は、緩衝布３２と同様の生地から構成され得る。被覆布５６は、緩衝布３２の外側に重ね合わされ、当該緩衝布３２と基布３０と共に縫い合わされている。具体的には、この被覆布５６は、図１が示すように細長帯状に裁断され、中指挿入部２５の長手方向に沿って配置されている。したがって、ポケット４９は、中指挿入部２５の長手方向に沿って延びるように形成されている。上記バランスウエイト２１は、このポケット４９に挿入されてもよい。
【００３９】
薬指挿入部２６も基布３０および緩衝布３２によって筒状に形成されている。薬指挿入部２６には、釣人の薬指が挿入されるようになっている。上記ポケット５１と同様に、ポケット５０は、上記緩衝布３２の外側に被覆布５７が設けられることにより構成されている。この被覆布５７は、緩衝布３２と同様の生地から構成され得る。被覆布５７は、緩衝布３２の外側に重ね合わされ、当該緩衝布３２と基布３０と共に縫い合わされている。具体的には、この被覆布５７は、図１が示すように細長帯状に裁断され、薬指挿入部２６の長手方向に沿って配置されている。したがって、ポケット５０は、薬指挿入部２６の長手方向に沿って延びるように形成されている。上記バランスウエイト２１は、このポケット５０に挿入されてもよい。
【００４０】
本実施形態では、単一のバランスウエイト２１がグローブ２０に備えられているだけであるが、３グラムから１０グラムに設定された複数のバランスウエイト２１が備えられていてもよい。この場合、釣人は、所望の重量のバランスウエイト２１を上記ポケット４８〜５１のいずれかに挿入することができる。このようにバランスウエイト２１がポケット４８〜５１に着脱自在に設けられることによる作用効果は、後述される。
【００４１】
本実施形態に係るグローブ２０は、投げ釣りの実釣において次のように使用される。以下では、釣人が右利きであることが前提となっている。
【００４２】
釣人は、仕掛をキャストする際には、右手でロッドのリーシート付近を握ってロッドを支持し、左手で竿尻を把持する。釣人は、右手でロッドを支持してキャスト方向に移動させつつ左手で竿尻を強く引くことにより、ロッドは、釣人の右手を支点として回転し、その結果、仕掛がロッドの弾力によって遠投される。なお、釣人が左利きの場合は、ロッドは釣人の左手を支点として回転されることとなる。
【００４３】
仕掛の飛距離が向上するためには、キャスティングの際のロッドの回転モーメント、すなわち、釣人の右手を中心とするロッドの慣性モーメントが小さいほどよい。このグローブ２０では、人差指挿入部２４、中指挿入部２５、薬指挿入部２６及び小指挿入部２７は、それぞれ、ポケット４８〜５１を備えているから、釣人は、これらポケット４８〜５１にバランスウエイト２１を挿入することができる。これにより、ロッドのキャスティングの瞬間における回転モーメントが小さくなる。しかも、このバランスウエイト２１は、上記ポケット４８〜５１に収容されるものであるから、小型であり、その重量が微調整され得る。したがって、ロッドの回転モーメントは、釣人の体格に応じて釣人の所望する値に容易に調整され得る。
【００４４】
釣人は、バランスウエイト２１を上記ポケット４８〜５１に装着するだけで、ロッドの回転モーメントを微調整することができるので、ロッドの回転モーメントを自己が最も遠投できる値に設定することができる。その結果、釣人は、仕掛をきわめて遠くへ投入することができ、釣果向上が期待できる。
【００４５】
また、本実施形態では、バランスウエイト２１が挿入されるポケット４８〜５１は、手の甲側に設けられている。また、バランスウエイト２１は、人差指挿入部２４、中指挿入部２５、薬指挿入部２６又は小指挿入部２７の長手方向に沿って配置される。したがって、実釣中における錘の損傷が防止されるという利点がある。また、バランスウエイト２１は、帯状に形成されているから、その重量の微調整が容易であるうえ、ポケット４８〜５１から挿抜する作業が簡単であるという利点もある。
【００４６】
さらに、バランスウエイト２１が鉛から構成されることにより、バランスウエイト２１が容易に変形することができる。これにより、バランスウエイト２１が取り付けられた状態で釣人がロッドを握った場合に、バランスウエイト２１も人差指挿入部２４、中指挿入部２５、薬指挿入部２６又は小指挿入部２７に追従して変形する。しかも、一旦変形すれば、所定の保持力で当該変形状態が維持される。したがって、釣人は、ロッドを簡単に握ることができ、しかもキャストの瞬間でも確実にロッドを保持することができる。
【００４７】
次に、本実施形態の変形例について説明される。
【００４８】
図４は、本実施形態の変形例に係るグローブの斜視図である。
【００４９】
上記実施形態では、グローブ２０の 親指挿入部２３、人差指挿入部２４、中指挿入部２５、薬指挿入部２６及び小指挿入部２７は、完全に指を覆うように構成されているが、本変形例に係るグローブ６０では、親指挿入部２３および人差指挿入部２４の先端部が切断されている。
【００５０】
実釣においては、釣人はキャスティングの前に仕掛に餌を装着しなければならない。そのため、上記グローブ２０を装着したままであるならば、餌の装着作業がし難くなるおそれがある。本変形例に係るグローブ６０では、親指挿入部２３及び人差指挿入部２４の先端部分が切断されているから、少なくとも釣人の親指と人差指が露出する。したがって、釣人は、親指と人差指を使って円滑に餌を釣針に装着することができる。
【産業上の利用可能性】
【００５１】
本発明は、釣り、特に投げ釣りの際に釣人が着用するグローブに適用され得る。
【図面の簡単な説明】
【００５２】
【図１】図１は、本発明の一実施形態に係るグローブの斜視図である。
【図２】図２は、本発明の一実施形態に係るグローブの斜視図である。
【図３】図３は、本発明の一実施形態に係るグローブの小指挿入部の断面図である。
【図４】図４は、本発明の一実施形態の変形例に係るグローブの斜視図である。
【図５】図５は、従来の投げ竿の後端グリップの断面図である。
【符号の説明】
【００５３】
２０・・・グローブ
２１・・・バランスウエイト
２２・・・本体
２３・・・親指挿入部
２４・・・人差指挿入部
２５・・・中指挿入部
２６・・・薬指挿入部
２７・・・小指挿入部
４８・・・ポケット
４９・・・ポケット
５０・・・ポケット
５１・・・ポケット
６０・・・グローブ
【図１】
2008086257.tif 000003
【図２】
2008086257.tif 000004
【図３】
2008086257.tif 000005
【図４】
2008086257.tif 000006
【図５】
2008086257.tif 000007